(57)【要約】      （修正有）【課題】襟及び上側ポケットを有したジャケットに於いて、襟の外縁部や上側ポケットの開口縁部に補強用布を縫合した襟及びポケットを補強したジャケットを提供する。【解決手段】襟１２及び上側ポケット１４は前身頃１０の上方位置に配置されている。そして、襟１２及の左・右外縁部１２ａ、１２ｂには外端１５ａ、１５ｂから例えば２〜３（ｃｍ）程度の幅長を有する襟幅Ｗ１に補強用布１８、１８を被包・縫合する。また同様に上側ポケット１４に外縁部１４ｂには開口外端から例えば２〜３（ｃｍ）程度の幅長を有するポケット外縁幅Ｗ２に補強用布１９を被包・縫合する。【選択図】図１
0003185866.tif 000002
【実用新案登録請求の範囲】
【請求項１】
前身頃の上方位置に配置した襟及び上側ポケットを有するジャケットに於いて、該襟の外縁部及び上側ポケットの外縁部に補強用布を被包・縫合したことを特徴とする襟及びポケットを補強したジャケット。
【請求項２】
前記補強用布に絵柄又は格子状図柄若しくは模様を配置したことを特徴とする襟及びポケットを補強したジャケット。
【考案の詳細な説明】
【技術分野】
【０００１】
本考案は、襟及び上側ポケットを有したジャケットに於いて、該襟の外縁部や上側ポケットの開口縁部に補強用布を縫合した襟及びポケットを補強したジャケットに関する。
【背景技術】
【０００２】
この種、従来の技術に於ける例としては図３に示す技術がある。これについて説明すれば、１はジャケットであり、前身頃２、左袖部３ａ、右袖部３ｂ、襟４、前身頃２の下方左側ポケット５ａ及び下方右側ポケット５ｂを備えている。ジャケット１の上側ポケット６は、例えば縦１８ｃｍ×横１３ｃｍの長方形であり、高さ４ｃｍ程度である。上記長方形の上辺から下方に、上辺と平行に開口部６ａが設けられている。上記開口部６ａは脇の位置と水平線上で略重なるように位置し、内ポケットが見返し部分とわずかに重なるように取り付けられている。
このように、内ポケットの深さが１４ｃｍと浅くなり、カギ等の小さなものを入れた場合でも取り出しやすくなる。一方、札入れ等の長いものを入れる場合は、開口部６ａ上方の空間を利用することにより、長形のものが収納可能である。そして、開口部６ａの位置はジャケット１を着用したままスムーズにものを取り出すことができる。また、内ポケット取付部は、表地と同種の生地からなるため、脱衣時にも見劣りがしない。そして、上記内ポケット取付部は、前身頃２の肩部７に取り付けられた裏地の下縁と、見返し部分の一部分と、脇繰りの一部分とに縫合され、残りは脇繰りから見返し部分にかけて、内ポケットが隠れるように弧を描いて切り欠かれ、縫合はされていない。上側ポケット部６の大きさについても同様であり、ジャケットの寸法等によって適宜設定することができる。図中８は前身頃２の右外縁部２ａに固定された複数個のボタンであり、前身頃２の左外縁部２ｂのボタン穴２ｃに係止する。
【先行技術文献】
【特許文献】
【０００３】
【特許文献１】実開昭６３−９８３１０号公開実用新案公報
【考案の開示】
【考案が解決しようとする課題】
【０００４】
従来の技術は叙上の構成であるので次の課題が存在した。
すなわち、ジャケット１の襟４や上側ポケット６は殊に前身頃２の上方に配置され、表面から露出した状態で配置してある。そこで襟４の外縁部４ａや上側ポケット６の開口部６ａの開口縁部６ｂがもとより汚れ易いばかりか外部と接触し易くそのため襟４又は上側ポケット６の生地を痛めることとなり、その部分の亀裂や破損を招来するという問題点があった。また上記襟４又は上側ポケット６は前方から見え易い部分であり無地であれば、他人との識別性が脆弱でかつ見栄えが悪く着衣者をして購買意欲が減殺されジャケットの販売店による量販拡大に寄与できないという問題点があった。
本考案はかかる問題点を解決するためになされたものであって、ジャケット１の襟４の外縁部４ａ及び上側ポケット６の開口縁６ｂに補強布を被包・縫合した構成として襟４の外縁部４ａ及び上側ポケット６の開口縁６ｂを補強・強固となし、その部分に汚れや亀裂や破損を生じたとき当該補強布のみ取替えて耐久性を有するジャケットを提供することを目的とする。
【課題を解決するための手段】
【０００５】
本考案はかかる問題点を解決するためになされたものであって、次の構成から成立する。
すなわち請求項１記載の考案によれば、前身頃の上方位置に配置した襟及び上側ポケットを有するジャケットに於いて、該襟の外縁部及び上側ポケットの外縁部に補強用布を被包・縫合したことを特徴とする。
【０００６】
請求項２記載の考案によれば、請求項１に記載の襟及びポケットを補強したジャケットに於いて、前記補強用布に絵柄又は格子状図柄若しくは模様を配置したことを特徴とする。
【考案の効果】
【０００７】
本考案に係る襟及びポケットを補強したジャケットは叙上の構成を有するので、次の効果がある。
すなわち、請求項１に記載の考案によれば、前身頃の上方位置に配置した襟及び上側ポケットを有するジャケットに於いて、該襟の外縁部及び上側ポケットの外縁部に補強用布を被包・縫合したことを特徴とする襟及びポケットを補強したジャケットを提供する。
このような構成としたので、本考案に係る襟及びポケットを補強したジャケットは殊に補強用布を襟や上側ポケット等に設けたので該ジャケットの襟や上側ポケットの生地を傷めることがなく、その部分の亀裂や破損を惹起することがない耐久性の高いジャケットを提供することができる。また、仮に補強用布が疲労・劣化した場合にもこれを取替えて新規な補強用布を被包・縫合すれば常に襟や上側ポケットを傷めることがなくジャケット全体の耐久性を図ることができるという効果がある。
【０００８】
請求項２に記載の考案によれば、前記補強用布に絵柄又は格子状図柄若しくは模様を配置したことを特徴とする襟及びポケットを補強したジャケットを提供する。
このような構成としたので、請求項１に記載の考案の効果に加えて、ジャケットの襟や上側ポケット等は前方から見え易い部分であり、かかる部分に絵柄、格子状図柄又は花や鳥等をあしらった模様を表示した補強用布を配置したのでジャケットに於ける他人との識別性を図ると共に見栄えを良くし、着衣者をして購買意欲を掻き立てジャケットの販売店による量販拡大に寄与するという効果がある。
【図面の簡単な説明】
【０００９】
【図１】本考案に係る襟及びポケットを補強したジャケットの実施の形態を示す正面図である。
【図２】図１のＰ部の詳細を示す部分拡大図である。
【図３】従来の技術の一例を示す正面図である。
【考案を実施するための形態】
【００１０】
本考案に係る襟及びポケットを補強したジャケットの実施の形態について図面に基づき詳細に説明する。
図１に於いて、９は本考案に係るジャケットであり、前身頃１０、左袖部１１ａ、右袖部１１ｂ、襟１２、前身頃１０の下方左側ポケット１３ａ及び下方右側ポケット１３ｂを備えている。ジャケット９の上側ポケット１４は、例えば縦１８ｃｍ×横１３ｃｍの長方形であり、高さ４ｃｍ程度である。上記長方形の上辺から下方に、上辺と平行に開口部１４ａが設けられている。上記開口部１４ａは脇の位置と水平線上で略重なるように位置し、内ポケットが見返し部分とわずかに重なるように取付けられている。
【００１１】
このように、内ポケットの深さが１４ｃｍと浅くなり、カギ等の小さなものを入れた場合でも取り出しやすくなる。一方、札入れ等の長いものを入れる場合は、開口部１４ａ上方の空間を利用することにより、長形のものが収納可能である。そして、開口部１４ａの位置はジャケット９を着用したままスムーズにものを取り出すことができる。また、内ポケット取付部は、表地と同種の生地からなるため、脱衣時にも見劣りがしない。そして、上記内ポケット取付部は、前身頃１０の肩部１６に取り付けられた裏地の下縁と、見返し部分の一部分と、脇繰りの一部分とに縫合され、残りは脇繰りから見返し部分にかけて、内ポケットが隠れるように弧を描いて切り欠かれ、縫合はされていない。上側ポケット部１４の大きさについても同様であり、ジャケットの寸法等によって適宜設定することができる。図中１７は前身頃１０の右側外縁部１０ａに固定された複数個のボタンであり、前身頃１０の左側外縁部１０ｂのボタン穴１０ｃに係止する。
【００１２】
上述の説明に於いて襟１２及び上側ポケット１４は前身頃１０の上方位置に配置されている。そして、該襟１２及の左・右外縁部１２ａ、１２ｂには外端１５ａ、１５ｂから例えば２〜３（ｃｍ）程度の幅長を有する襟幅Ｗ１に補強用布１８、１８を被包・縫合する。また同様に上側ポケット１４の外縁部１４ｂには開口外端から例えば２〜３（ｃｍ）程度の幅長を有するポケット外縁幅Ｗ２に補強用布１９を被包・縫合する。
【００１３】
本考案に係る襟及びポケットを補強したジャケットはこの様な構成としたので、該襟１２及の左・右外縁部１２ａ、１２ｂや上側ポケット１４の外縁部１４ｂを補強・強化できその部分の耐久性を向上させ、ひいてはジャケット９を長持ちさせることができる。また、前記補強用布１８、１８、１９は襟１２の左・右外縁部１２ａ、１２ｂや上側ポケット１４の外縁部１４ｂに縫糸等で縫合した構成を示したが、襟１２の左・右外縁部１２ａ、１２ｂや上側ポケット１４の外縁部１４ｂの表地に及び又は補強用布１８、１８、１９の裏地にホック又は面ファスナーを設置固定し該補強用布１８、１８、１９を着脱自在として汚損等した場合には新規な補強用布１８、１８、１９を旧存の補強用布１８、１８、１９と取替え容易にすることが可能である。
【００１４】
また上記補強用布１８、１８、１９は下方左側ポケット１３ａ、下方右側ポケット１３ｂの蓋布１３ｃの上面に追加的に配置してもよい。このようのすれば補強用布１８、１８、１９が蓋布１３ｃや下方左側ポケット１３ａ、下方右側ポケット１３ｂの表面等を保護することができると共にジャケット９のデザイン的効果を挙げることができる。
次に本考案に係る襟及びポケットを補強したジャケットの実施例について説明する。
【実施例】
【００１５】
図２は前記ジャケット９の前身頃１０即ちジャケット９の襟１２及び上側ポケット１４に縫合した補強用布１８、１９の部分Ｐを拡大した図を示している。襟１２や上側ポケット１４は例えば通行人等が前方から見易い部位であり、着衣者の好みに応じて、図１及び図２に示すように格子状模様２０を例示してある。この図はやや太い３本の縦線２０ａと、やや薄く太い３本の横線２０ｂとを配置した図柄となっている。一方、上側ポケット１４に於いてやや太い３本の縦線２０ｃと、やや薄く太い２本の横線２０ｄとを配置した図柄となっている。各線２０ａないし２０ｄはすべて黒線でもよく、着衣者や衣服販売店の好みに応じて赤線を組合せてもよい。また、ジャケット９の襟１２及び上側ポケット１４に於ける部分Ｐに限定せず下方の左・右側ポケット１３ａ、１３ｂの蓋布１３ｃや該蓋布１３ｃに縫合した補強用布に格子状模様２０や図柄を配置してもよい。また、本考案は格子状模様に代えて花や鳥等動植物、その他あらゆる図柄や様々な模様を配置することを制限するものではなく、着衣者又は衣服販売店の好みに応じて対応できる。
【産業上の利用可能性】
【００１６】
本考案に係る襟及びポケットを補強したジャケットは、背広等の上着の下に着用するジャケットに限定するものではなく、乗馬用ジャケット、狩猟用ジャケットなどスポーツ用途を目的とした衣料にも適用でき、その利用範囲は広いものである。
【符号の説明】
【００１７】
９        ジャケット
１０      前身頃
１０ａ    右側外縁部
１０ｂ    左側外縁部
１０ｃ    ボタン穴
１１ａ    左袖部
１１ｂ    右袖部
１２      襟
１２ａ    左外縁部
１２ｂ    右外縁部
１３ａ    下方左側ポケット
１３ｂ    下方右側ポケット
１３ｃ    蓋布
１４      上側ポケット
１４ａ    開口部
１４ｂ    外縁部
１５ａ    襟の外端
１５ｂ    襟の外端
１６      肩部
１７      ボタン
１８      補強用布
１９      補強用布
２０      格子状模様
２０ａ    縦線
２０ｂ    横線
２０ｃ    縦線
２０ｄ    横線
【図１】
0003185866.tif 000003
【図２】
0003185866.tif 000004
【図３】
0003185866.tif 000005